【手続補正書】
【提出日】平成26年5月26日(2014.5.26)
【手続補正１】
【補正対象書類名】特許請求の範囲
【補正対象項目名】全文
【補正方法】変更
【補正の内容】
【特許請求の範囲】
【請求項１】
第１のオペレーションシステム、及び、当該第１のオペレーションシステム上で動作する第１のアプリケーションを実行する第１の制御部と、
第２のオペレーションシステム、及び、当該第２のオペレーションシステム上で動作する第２のアプリケーションを実行する第２の制御部と、
を備える情報処理装置であって、
前記第２の制御部は、前記情報処理装置に接続されたデバイスを制御するデバイス制御部を備え、
前記第１の制御部は、前記情報処理装置の電源が投入された後に、前記第１のオペレーションシステム及び前記第１のアプリケーションを起動する第１の起動処理を行い、
前記第２の制御部は、前記情報処理装置の電源が投入された後に、前記第１の起動処理よりも早く処理を完了する、前記第２のオペレーションシステム及び前記第２のアプリケーションを起動する第２の起動処理を前記第１の起動処理と並行して行い、
前記第２の制御部は、前記第１の起動処理の完了前に前記第２の起動処理を完了し、前記第２の起動処理の完了後に、前記第２のアプリケーションを実行することで前記情報処理装置を制御する第２の制御処理を行うとともに、前記デバイス制御部を介して、前記デバイスを制御するデバイス制御処理を行い、
前記第１の制御部は、前記第１の起動処理の完了後に、前記第１のアプリケーションを実行し、前記第２の制御処理の代わりに前記情報処理装置を制御する第１の制御処理を行い、
前記第２の制御部は、前記第１の制御部が前記第１の制御処理を開始すると、前記第２の制御処理を終了し、前記デバイス制御処理を継続すること
を特徴とする情報処理装置。
【請求項２】
前記第１の制御部は、前記第１の起動処理の完了後に、制御権限の切り替えが可能になったことを前記第２の制御部に通知し、
前記第２の制御部は、前記第１の制御部からの通知を受けると、前記第２の制御処理で既に行われた処理の状態を示す情報及び前記デバイスの制御状態を示す情報を含むデバイス制御情報、並びに、前記デバイスから通知された内容を示す通知情報を含む引継情報を生成した後に、前記第１の制御部に対して制御権限切換完了を通知し、
前記第１の制御部は、前記第２の制御部から制御権限切換完了の通知を受けると、前記引継情報を参照することで、前記第２の制御処理で実行されていた制御を継続して行うこと
を特徴とする請求項１に記載の情報処理装置。
【請求項３】
前記第２の制御部は、前記第２の制御処理において、前記第２のアプリケーションに対応する第２のＧＵＩを、前記情報処理装置に接続された出力装置に表示させ、
前記内部状態情報には、前記第２のＧＵＩの表示状態を示す情報が含まれ、
前記第１の制御部は、前記第１の制御処理において、前記内部状態情報を参照することで、前記第２のＧＵＩの代わりに、前記第２のＧＵＩの表示状態に対応し、かつ、前記第１のアプリケーションに対応する第１のＧＵＩを、前記情報処理装置に接続された出力装置に表示させること
を特徴とする請求項２に記載の情報処理装置。
【請求項４】
第１のオペレーションシステム、及び、当該第１のオペレーションシステム上で動作する第１のアプリケーションを実行する第１の制御部と、
第２のオペレーションシステム、及び、当該第２のオペレーションシステム上で動作する第２のアプリケーションを実行する第２の制御部と、を備える情報処理装置が行う起動方法であって、
前記第１の制御部が、前記情報処理装置の電源が投入された後に、前記第１のオペレーションシステム及び前記第１のアプリケーションを起動する第１の起動処理を行う第１の起動過程と、
前記第２の制御部が、前記情報処理装置の電源が投入された後に、前記第１の起動処理よりも早く処理を完了する、前記第２のオペレーションシステム及び前記第２のアプリケーションを起動する第２の起動処理を前記第１の起動処理と並行して行う第２の起動過程と、
前記第２の制御部が、前記第１の起動過程の完了前に前記第２の起動処理を完了し、前記第２の起動処理の完了後に、前記第２のアプリケーションを実行することで前記情報処理装置を制御する第２の制御処理を行うとともに、前記情報処理装置に接続されたデバイスを制御するデバイス制御処理を行う制御処理過程と、
前記第１の制御部が、前記第１の起動処理の完了後に、前記第１のアプリケーションを実行し、前記第２の制御処理の代わりに前記情報処理装置を制御する第１の制御処理を行う引継制御処理過程と、を有し、
前記第２の制御部は、前記第１の制御部が前記第１の制御処理を開始すると、前記第２の制御処理を終了し、前記デバイス制御処理を継続すること
を特徴とする起動方法。
【請求項５】
前記引継制御処理過程は、
前記第１の制御部が、前記第１の起動処理の完了後に、制御権限の切り替えが可能になったことを前記第２の制御部に通知する過程と、
前記第２の制御部が、前記第１の制御部からの通知を受けると、前記第２の制御処理で既に行われた処理の状態を示す情報及び前記デバイスの制御状態を示す情報を含むデバイス制御情報、並びに、前記デバイスから通知された内容を示す通知情報を含む引継情報を生成した後に、前記第１の制御部に対して制御権限切換完了を通知する過程と、
前記第１の制御部は、前記第２の制御部から制御権限切換完了の通知を受けると、前記引継情報を参照することで、前記第２の制御処理で実行されていた制御を継続して行う過程と、を有すること
を特徴とする請求項４に記載の起動方法。
【請求項６】
前記制御処理過程において、前記第２の制御部は、前記第２の制御処理で、前記第２のアプリケーションに対応する第２のＧＵＩを、前記情報処理装置に接続された出力装置に表示させ、
前記内部状態情報には、前記第２のＧＵＩの表示状態を示す情報が含まれ、
前記引継制御過程において、前記第１の制御部は、前記第１の制御処理で、前記内部状態情報を参照することで、前記第２のＧＵＩの代わりに、前記第２のＧＵＩの表示状態に対応し、かつ、前記第１のアプリケーションに対応する第１のＧＵＩを、前記情報処理装置に接続された出力装置に表示させること
を特徴とする請求項５に記載の起動方法。
【手続補正２】
【補正対象書類名】明細書
【補正対象項目名】００１１
【補正方法】変更
【補正の内容】
【００１１】
本発明の一態様に係る情報処理装置は、第１のオペレーションシステム、及び、当該第１のオペレーションシステム上で動作する第１のアプリケーションを実行する第１の制御部と、第２のオペレーションシステム、及び、当該第２のオペレーションシステム上で動作する第２のアプリケーションを実行する第２の制御部と、を備える情報処理装置であって、前記第２の制御部は、前記情報処理装置に接続されたデバイスを制御するデバイス制御部を備え、前記第１の制御部は、前記情報処理装置の電源が投入された後に、前記第１のオペレーションシステム及び前記第１のアプリケーションを起動する第１の起動処理を行い、前記第２の制御部は、前記情報処理装置の電源が投入された後に、前記第１の起動処理よりも早く処理を完了する、前記第２のオペレーションシステム及び前記第２のアプリケーションを起動する第２の起動処理を前記第１の起動処理と並行して行い、前記第２の制御部は、前記第１の起動処理の完了前に前記第２の起動処理を完了し、前記第２の起動処理の完了後に、前記第２のアプリケーションを実行することで前記情報処理装置を制御する第２の制御処理を行うとともに、前記デバイス制御部を介して、前記デバイスを制御するデバイス制御処理を行い、前記第１の制御部は、前記第１の起動処理の完了後に、前記第１のアプリケーションを実行し、前記第２の制御処理の代わりに前記情報処理装置を制御する第１の制御処理を行い、前記第２の制御部は、前記第１の制御部が前記第１の制御処理を開始すると、前記第２の制御処理を終了し、前記デバイス制御処理を継続することを特徴とする。